(57)【要約】【課題】リアシステムのＡＦサーチによるラジオ出力音声の品質劣化を抑止する。【解決手段】主制御部１６は、制御バス３を介してリア制御部２６から、リアシステム２の制御情報をリア制御情報として取得し、リア制御情報のＡＦリストに登録されている各周波数について、順次、短時間チューナの受信周波数をその周波数に切替え、元の現行周波数に戻す処理を間欠的に繰り返し、ＡＦリストに登録されている各周波数の受信状態を検出し、制御バス３を介してリア制御部２６に通知する。リアシステム２のリア制御部２６は、主制御部１６から通知された最も受信状態が良好な周波数にチューナ１１１の受信周波数を切替える。【選択図】図１
2004135011.tif 000002
【特許請求の範囲】
【請求項１】
プログラムを当該プログラムと同じプログラムを放送している他の周波数である代替周波数を示す制御情報と共に放送するラジオ放送を受信し、受信したプログラムを出力するラジオ受信機を、複数備えたラジオシステムであって、
前記複数のラジオ受信機の内の第１のラジオ受信機は、
前記複数のラジオ受信機の内の第２のラジオ受信機がプログラムの受信及び出力を行っている場合に、当該第２のラジオ受信機より、当該第２のラジオ受信機が前記プログラムと共に受信した制御情報を第２ラジオ制御情報として取得する第１ラジオ受信機制御情報取得手段と、
取得した前記第２ラジオ制御情報が表す前記代替周波数の受信状態を検査する第１ラジオ受信状態検査手段と、
前記第２ラジオ制御情報が表す前記代替周波数の受信状態の検査結果を前記第２のラジオ受信機に通知する第１ラジオ検査結果通知手段とを有し、
前記第２のラジオ受信機は、前記第１のラジオ受信機より通知された前記代替周波数の受信状態の検査結果に応じて、当該第２のラジオ受信機で受信する周波数を切り替える第２ラジオ周波数切替手段とを有することを特徴とするラジオシステム。
【請求項２】
請求項１記載のラジオシステムであって、
前記第１のラジオ受信機の前記第１ラジオ受信状態検査手段は、当該第１のラジオ受信機が前記プログラムの受信及び出力を行っており、かつ、前記第２のラジオ受信機がプログラムの受信及び出力を行っている場合に、取得した第２ラジオ制御情報が示す前記代替周波数の受信状態と共に、当該第１のラジオ受信機が前記プログラムと共に受信した制御情報である第１ラジオ制御情報が示す前記代替周波数の受信状態を検査し、
前記第１のラジオ受信機は、前記第１ラジオ制御情報が示す前記代替周波数について前記第１ラジオ受信状態検査手段が検査した検査結果に応じて、当該第１のラジオ受信機で受信する周波数を切り替える第１ラジオ周波数切替手段を有し、
前記第１ラジオ受信状態検査手段は、前記第２ラジオ機制御情報が示す前記代替周波数の受信状態と、前記第１ラジオ制御情報が示す前記代替周波数の受信状態の検査を、前記第１のラジオ受信機が受信する受信周波数を、間欠的に、前記プログラムを受信している受信周波数から、検査する各代替周波数に短時間切り替えて当該代替周波数を受信し当該代替周波数の受信状態を検出することにより行うことを特徴とするラジオシステム。
【請求項３】
請求項２記載のラジオシステムであって、
前記第２のラジオ受信機は、当該第２のラジオ受信機が前記ラジオ放送の受信または出力を行っておらず、前記第１のラジオ受信機が前記プログラムの受信及び出力を行っている場合に、前記第１のラジオ受信機より、前記第１ラジオ制御情報を取得する第２ラジオ受信機制御情報取得手段と、
取得した前記第１ラジオ制御情報が表す前記代替周波数の受信状態を検査する第２ラジオ受信状態検査手段と、
前記第１ラジオ制御情報が表す前記代替周波数の受信状態の検査結果を前記第１のラジオ受信機に通知する第２ラジオ検査結果通知手段とを有し、
前記第１のラジオ受信機の第１ラジオ周波数切替手段は、前記第２のラジオ受信機より通知された前記代替周波数の受信状態の検査結果に応じて、当該第１のラジオ受信機で受信する周波数を切り替えることを特徴とするラジオシステム。
【請求項４】
請求項２または３記載のラジオシステムであって、
前記第１のラジオ受信機は、
前記第２のラジオ受信機がプログラムの受信及び出力を行っており、当該第１のラジオ受信機が前記ラジオ放送の受信または出力を行っていない場合に、所定レベル以上良好な受信状態で受信可能な周波数をサーチする第１ラジオ周波数サーチ手段と、
第１ラジオ周波数サーチ手段がサーチした周波数を受信可能周波数を、当該１のラジオ受信機が受信可能な周波数として設定する第１ラジオ周波数設定手段と、
第１ラジオ周波数サーチ手段がサーチした周波数を受信可能周波数として前記第２のラジオ受信機に通知する第１ラジオ受信可能周波数通知手段とを有し、
前記第２のラジオ受信機は、前記第１のラジオ受信機から通知された受信可能周波数を、当該第２のラジオ受信機が受信可能な周波数として設定する第２ラジオ周波数設定手段を有することを特徴とするラジオシステム。
【請求項５】
請求項４記載のラジオシステムであって、
前記第２のラジオ受信機は、前記第１のラジオ受信機がプログラムの受信及び出力を行っており、当該第２のラジオ受信機が前記ラジオ放送の受信または出力を行っていない場合に、所定レベル以上良好な受信状態で受信可能な周波数をサーチする第２ラジオ周波数サーチ手段と、
第２ラジオ周波数サーチ手段がサーチした周波数を受信可能周波数を、当該２のラジオ受信機が受信可能な周波数として設定する第２ラジオ周波数設定手段と、
第２ラジオ周波数サーチ手段がサーチした周波数を受信可能周波数として前記第１のラジオ受信機に通知する第２ラジオ受信可能周波数通知手段とを有し、
前記第１のラジオ受信機の前記第１ラジオ周波数設定手段は、前記第２のラジオ受信機から通知された受信可能周波数を、当該第１のラジオ受信機が受信可能な周波数として設定することを特徴とするラジオシステム。
【請求項６】
請求項１、２、３、４または５記載のラジオシステムであって、
前記第１のラジオ受信機は自動車の前部座席ユーザ用として前記前部座席側に配置されたラジオ受信機であり、前記第２のラジオ受信機は自動車の後部座席ユーザ用として前記後部座席側に配置されたラジオ受信機であることを特徴とするラジオシステム。
【請求項７】
プログラムを当該プログラムと同じプログラムを放送している他の周波数である代替周波数を示す制御情報と共に放送する放送を受信し、受信したプログラムを出力する受信機を、複数備えた受信機システムにおいて、前記複数の受信機の内の第１の受信機の受信周波数の前記プログラムを良好に受信できる代替周波数への切り替えを制御する方法であって、
前記第１の受信機がプログラムの受信及び出力を行っている場合に、当該第１の受信機より、当該第１の受信機が前記プログラムと共に受信した制御情報を第１制御情報として、前記複数の受信機の内の第２の受信機に転送するステップと、
前記第２の受信機において、転送された前記第１制御情報が表す前記代替周波数の受信状態を検査するステップと、
前記第１制御情報が表す前記代替周波数の受信状態の検査結果を前記第２の受信機から、前記第１の受信機に通知するステップと、
前記第１の受信機において、前記第２の受信機より通知された前記代替周波数の受信状態の検査結果に応じて、当該第の受信機で受信する周波数を切り替えるステップとを有することを特徴とする受信周波数の代替周波数への切替制御方法。
【発明の詳細な説明】
【０００１】
【発明の属する技術分野】
本発明は、複数のラジオ受信機を含んで構成されるラジオシステムにおける、ＡＦサーチ（代替周波数サーチ）の技術に関するものである。
【０００２】
【従来の技術】
従来より、ＲＤＳ　（Ｒａｄｉｏ　Ｄａｔａ　Ｓｙｓｔｅｍ）／ＲＢＤＳ　（Ｒａｄｉｏ　Ｂｒｏａｄｃａｓｔ　Ｄａｔａ　Ｓｙｓｔｅｍ）等の、制御信号を伴うオーディオ放送を行うラジオ放送が知られている。これらのラジオ放送で放送される制御信号には、ＡＦリストと呼ばれる、同じプログラムを放送している周波数のリストが含まれており、このようなラジオ放送を受信する受機では、受信中のプログラムと同じプログラムを放送しているより受信状態のよい周波数をＡＦリストを参照して探索し、そのような受信状態のよい周波数が存在する場合などに、その受信状態のよい周波数に受信周波数を切り替えるＡＦサーチを行うことができる。
【０００３】
ここで、受信中のプログラムと同じプログラムを放送している、より受信状態のよい周波数の探索は、間欠的に短時間、受信周波数をＡＦリストが示す周波数に切り替えて、その周波数の受信状態を電界強度等に応じて判定していくことにより行われる。
また、チューナ部を二重化し、一方のチューナで通常の受信を行いながら、他方のチューナ部でＡＦサーチを行う技術も知られてる（たとえば、特開平６−２０４９２６号公報）。
【０００４】
さて、乗用車に搭載されるラジオシステムとしては、前部座席ユーザ用のラジオ受信機と後部座席乗客用のラジオ受信機との二つのラジオ受信機を備えたラジオシステムが知られている。
このようなラジオシステムの前部座席ユーザ用のラジオ受信機は、その受信音声を車内に備えられたスピーカから出力する形態で利用されるのが一般的である。一方、後部座席乗客用のラジオ受信機は、前部座席ユーザ用のラジオ受信機のスピーカ出力によって聴きとりが阻害されないようにするなどのために、後部座席乗客が、その受信音声をヘッドホンで聴く形態で利用されることが多い。
この出願の発明に関連する先行技術文献情報としては以下のものがある。
【０００５】
【特許文献１】
特開平６−２０４９２６号公報
【０００６】
【発明が解決しようとする課題】
前述したような前部座席ユーザ用のラジオ受信機と後部座席乗客用のラジオ受信機との二つのラジオ受信機を備えたラジオシステムにおいて、前記ＡＦサーチを行う場合には、次のような問題が生じる。
すなわち、前述したようにＡＦサーチでは、受信中のプログラムと同じプログラムを放送している、より受信状態のよい周波数を探索するために、間欠的に短時間、受信周波数をＡＦリストが示す他の周波数に切り替える必要がある。
そして、この受信周波数を短時間切り替えることによるラジオ受信機の出力音声に対する影響は、音声をスピーカから出力する場合には人間で聴覚では気がつかない程度のものとなる。しかし、ヘッドホンにおいてラジオ受信機の出力音声を聴いている場合には、この影響が耳障りな音として認識される程度のものとなることがある。
【０００７】
したがって、受信音声をヘッドホンで聴く形態で利用されることが多い後部座席用のラジオ受信機の利用に対して、ＡＦサーチは無視できない音声品質の劣化の問題を引き起こす。後部座席用のチューナ部に対して、上述の従来のチューナを二重化する従来の技術を適用し、一方のチューナ部で通常の音声を出力するプログラムの受信行いながら他方のチューナ部でＡＦサーチを行うように構成することにより、このような問題を解消することも考えられるが、このようにすると後部座席用のラジオ受信機の規模、コスト等の比較的大きな増大を招いてしまうことになる。
【０００８】
そこで、本発明は、複数のラジオ受信機を備えたラジオシステムにおいて、チューナ部を二重化することなく、少なくとも一方のラジオ受信機における、ＡＦサーチによる出力音声品質の劣化を抑止することを課題とする。
【０００９】
【課題を解決するための手段】
前記課題達成のために、本発明は、プログラムを当該プログラムと同じプログラムを放送している他の周波数である代替周波数を示す制御情報と共に放送するラジオ放送を受信し、受信したプログラムを出力するラジオ受信機を、複数備えたラジオシステムにおいて、前記複数のラジオ受信機の内の第１のラジオ受信機に、前記複数のラジオ受信機の内の第２のラジオ受信機がプログラムの受信及び出力を行っている場合に、当該第２のラジオ受信機より、当該第２のラジオ受信機が前記プログラムと共に受信した制御情報を第２ラジオ制御情報として取得する第１ラジオ受信機制御情報取得手段と、取得した前記第２ラジオ制御情報が表す前記代替周波数の受信状態を検査する第１ラジオ受信状態検査手段と、前記第２ラジオ制御情報が表す前記代替周波数の受信状態の検査結果を前記第２のラジオ受信機に通知する第１ラジオ検査結果通知手段とを設けると共に、前記第２のラジオ受信機に、前記第１のラジオ受信機より通知された前記代替周波数の受信状態の検査結果に応じて、当該第２のラジオ受信機で受信する周波数を切り替える第２ラジオ周波数切替手段とを設けたものである。
【００１０】
このようなラジオシステムによれば、第２のラジオ受信機のＡＦサーチ動作に必要となる、第２のラジオ受信機で受信中の周波数の代替周波数の受信状態の検査は、第１のラジオ受信機で行われ、その結果のみが第２のラジオ受信機に通知されることになる。したがって、第２のラジオ受信機の出力が、ＡＦサーチのために劣化してしまうことがない。
【００１１】
さて、本ラジオシステムにおいては、前記第１のラジオ受信機の前記第１ラジオ受信状態検査手段は、当該第１のラジオ受信機が前記プログラムの受信及び出力を行っており、かつ、前記第２のラジオ受信機がプログラムの受信及び出力を行っている場合には、取得した第２ラジオ制御情報が示す前記代替周波数の受信状態と共に、当該第１のラジオ受信機が前記プログラムと共に受信した制御情報である第１ラジオ制御情報が示す前記代替周波数の受信状態を検査する。そして、前記第１のラジオ受信機においては、前記第１のラジオ受信機に設けた第１ラジオ周波数切替手段によって、前記第１ラジオ制御情報が示す前記代替周波数について前記第１ラジオ受信状態検査手段が検査した検査結果に応じて、第１のラジオ受信機で受信する周波数を切り替えるようにしてもよい。
【００１２】
これにより、第１のラジオ受信機と第２のラジオ受信機が共に、プログラムの受信及び出力を行っている場合においても、第２のラジオ受信機の出力をＡＦサーチのために劣化させることなく、第１のラジオ受信機と第２のラジオ受信機、それぞれについてのＡＦサーチ動作を行うことができる。一方、この場合には、第１のラジオ受信機の出力はＡＦサーチのために劣化する可能性があるため、この第１のラジオ受信機は、前述した乗用車用のラジオシステムへの適用においては、ＡＦサーチによる出力劣化が無視できる又は劣化による実用上の不利益が少ない用途で使用するラジオ受信機、たとえば、前述したような前部座席用のラジオ受信機とするのが良い。
【００１３】
なお、前記第１ラジオ受信状態検査手段は、前記第２ラジオ機制御情報が示す前記代替周波数の受信状態と、前記第１ラジオ制御情報が示す前記代替周波数の受信状態の検査を、前記第１のラジオ受信機が受信する受信周波数を、間欠的に、前記プログラムを受信している受信周波数から、検査する各代替周波数に短時間切り替えて当該代替周波数を受信し当該代替周波数の受信状態を検出することにより行うものであってよい。
【００１４】
また、以上のラジオシステムにおいては、前記第２のラジオ受信機に、当該第２のラジオ受信機が前記ラジオ放送の受信または出力を行っておらず、前記第１のラジオ受信機が前記プログラムの受信及び出力を行っている場合に、前記第１のラジオ受信機より、前記第１ラジオ制御情報を取得する第２ラジオ受信機制御情報取得手段と、取得した前記第１ラジオ制御情報が表す前記代替周波数の受信状態を検査する第２ラジオ受信状態検査手段と、前記第１ラジオ制御情報が表す前記代替周波数の受信状態の検査結果を前記第１のラジオ受信機に通知する第２ラジオ検査結果通知手段とを備え、前記第１のラジオ受信機の第１ラジオ周波数切替手段において、前記第２のラジオ受信機より通知された前記代替周波数の受信状態の検査結果に応じて、当該第１のラジオ受信機で受信する周波数を切り替えるようにしてもよい。
【００１５】
このようにすることにより、第２のラジオ受信機が前記ラジオ放送の受信または出力を行っておらず、前記第１のラジオ受信機が前記プログラムの受信及び出力を行っている場合には、逆に第１のラジオ受信機のＡＦサーチ動作に必要となる、第１のラジオ受信機で受信中の周波数の代替周波数の受信状態の検査を、第２のラジオ受信機で行うことができるようになる。したがって、このような場合に、第１のラジオ受信機の出力の、ＡＦサーチのための劣化を排除することができる。
【００１６】
また、以上のラジオシステムにおいては、前記第１のラジオ受信機に、前記第２のラジオ受信機がプログラムの受信及び出力を行っており、当該第１のラジオ受信機が前記ラジオ放送の受信または出力を行っていない場合に、所定レベル以上良好な受信状態で受信可能な周波数をサーチする第１ラジオ周波数サーチ手段と、第１ラジオ周波数サーチ手段がサーチした周波数を受信可能周波数を、当該１のラジオ受信機が受信可能な周波数として設定する第１ラジオ周波数設定手段と、第１ラジオ周波数サーチ手段がサーチした周波数を受信可能周波数として前記第２のラジオ受信機に通知する第１ラジオ受信可能周波数通知手段とを設け、前記第２のラジオ受信機に、前記第１のラジオ受信機から通知された受信可能周波数を、当該第２のラジオ受信機が受信可能な周波数として設定する第２ラジオ周波数設定手段を設けるようにしてもよい。
【００１７】
このようにすることにより、第２のラジオ受信機がプログラムの受信及び出力を行っており、当該第１のラジオ受信機が前記ラジオ放送の受信または出力を行っていない場合には、第２のラジオ受信機が受信中であるために行えない受信可能な周波数のサーチを、第１のラジオ受信機で代替して行うことができるようになる。
【００１８】
また、この場合において、さらに、前記第２のラジオ受信機に、前記第１のラジオ受信機がプログラムの受信及び出力を行っており、当該第２のラジオ受信機が前記ラジオ放送の受信または出力を行っていない場合に、所定レベル以上良好な受信状態で受信可能な周波数をサーチする第２ラジオ周波数サーチ手段と、第２ラジオ周波数サーチ手段がサーチした周波数を受信可能周波数を、当該２のラジオ受信機が受信可能な周波数として設定する第２ラジオ周波数設定手段と、第２ラジオ周波数サーチ手段がサーチした周波数を受信可能周波数として前記第１のラジオ受信機に通知する第２ラジオ受信可能周波数通知手段とを設け、前記第１のラジオ受信機の前記第１ラジオ周波数設定手段において、前記第２のラジオ受信機から通知された受信可能周波数を、当該第１のラジオ受信機が受信可能な周波数として設定するようにしてもよい。
【００１９】
このようにすることにより、逆に、第１のラジオ受信機がプログラムの受信及び出力を行っており、当該第２のラジオ受信機が前記ラジオ放送の受信または出力を行っていない場合には、第１のラジオ受信機が受信中であるために行えない受信可能な周波数のサーチを、第２のラジオ受信機で代替して行うことができるようになる。
【００２０】
なお、以上のラジオシステムの構成は、オーディオ放送以外のＴＶ放送やその他の放送を受信する受信機を複数備えた受信機システムにも同様に適用することができる。この場合には、前記ラジオ受信機を、その放送を受信する受信機に置き換えて、本発明を適用すればよい。
【００２１】
【発明の実施の形態】
以下、本発明の実施形態について説明する。
図１に本実施形態に係るラジオシステムの構成を示す。
図示するように、本ラジオシステムは、乗用車の前部座席ユーザ用のオーディオシステムであるフロントシステム１と、後部座席ユーザ用のオーディオシステムであるリアシステム２とを備えており、フロントシステム１とリアシステム２は、制御バス３によって相互に接続されている。
【００２２】
また、フロントシステム１は、ラジオユニット１１、複数のオーディオソースユニット１２、セレクタ１３、アンプ１４、スピーカ１５、主制御部１６、入力装置１７、表示装置１８、通信インタフェース１９とを備えている。ここで、オーディオソースユニット１２は、たとえば、ＣＤ−ＤＡやＭＤやＡｕｄｉｏＴａｐｅなどのオーディオ記録媒体に記録されたオーディオ信号を再生する装置であってよい。また、ラジオユニット１１は、主制御部１６から設定された受信周波数で放送されている信号を受信するチューナ１１１、チューナ１１１が受信した受信信号に含まれるオーディオ信号を復調する音声デコーダ１１２、チューナ１１１が受信した受信信号に制御信号が含まれている場合には制御信号をデコードし主制御部１６に通知する制御情報デコーダ１１３とを有する。ここで、チューナ１１１はＡＭ放送とＦＭ放送を受信することができ、以下では、便宜上、ＡＭ放送の各チャネルには前記制御信号は含まれておらず、ＦＭ放送の各放送チャネルには前記制御信号が含まれているものとして説明を行う。
【００２３】
このようなフロントシステム１の構成において、セレクタ１３は、ラジオユニット１１が出力するオーディオ信号と各オーディオソースユニット１２が各々出力するオーディオ信号とのうちから、一つのオーディオ信号を選択し、アンプ１４を介してスピーカ１５に出力する。また、主制御部１６は、入力装置１７を介して受け付けたユーザ操作等に応じて、ラジオユニット１１の受信周波数等の切替などの受信動作や、オーディオソースユニット１２の再生動作などの制御を行う。また、主制御部１６は、セレクタ１３の前記選択動作を、入力装置１７を介して受け付けたユーザ操作等に応じて制御する。
【００２４】
次に、リアシステム２は、リアラジオユニット２１、１または複数のリアオーディオソースユニット２２、リアセレクタ２３、リアアンプ２４、ヘッドホン２５、リア制御部２６、リア入力装置２７、リア表示装置２８、リア通信インタフェース２９とを備えている。また、リアラジオユニット２１は、リア制御部２６から設定された受信周波数で放送されている信号を受信するリアチューナ２１１、リアチューナ２１１が受信した受信信号に含まれるオーディオ信号を復調するリア音声デコーダ２１２、リアチューナ２１１が受信した受信信号に制御信号が含まれている場合には制御信号をデコードしリア制御部２６に通知するリア制御情報デコーダ２１３とを有する。ここで、リアチューナ２１１もフロントシステム１のチューナ１１１と同様にＡＭ放送とＦＭ放送を受信することができる。
【００２５】
このようなリアシステム２の構成において、リアセレクタ２３は、リアラジオユニット２１が出力するオーディオ信号と各リアオーディオソースユニット２２が各々出力するオーディオ信号とのうちから、一つのオーディオ信号を選択し、リアアンプ２４を介してヘッドホン２５に出力する。また、リア制御部２６は、リア入力装置２７を介して受け付けたユーザ操作等に応じて、リアラジオユニット２１の受信周波数等の切替などの受信動作や、リアオーディオソースユニット２２の再生動作などの制御を行う。また、主制御部１６は、リアセレクタ２３の前述した選択動作を、リア入力装置２７を介して受け付けたユーザ操作等に応じて制御する。
【００２６】
そして、このようなラジオシステムにおいて、フロントシステム１の主制御部１６と、リアシステム２のリア制御部２６は、制御バス３を介して相互に通信を行う。フロントシステム１の通信インタフェース１９とリアシステム２のリア通信インタフェース２９は、この主制御部１６とリア制御部２６との制御バス３を介した通信を仲介する。
【００２７】
以下、このようなラジオシステムにおけるラジオユニット１１とリアラジオユニット２１のＡＦサーチ動作と受信可能周波数を検出する周波数サーチ動作とについて説明する。
本ラジオシステムでは、フロントシステム１の主制御部１６が、ラジオユニット１１とリアラジオユニット２１のＡＦサーチ動作と周波数サーチ動作の制御を行う。図２に、この主制御部１６のＡＦサーチ動作及び周波数サーチ動作の制御処理の手順を示す。
【００２８】
図示するようにこの処理では、まず、フロントシステム１の状態ＦＳＳを取得する（ステップ２０２）。ここで状態ＦＳＳは、出力ソースがＦＭ放送である状態（ラジオユニット１１でＦＭ放送を受信中であり、セレクタ１３でラジオユニット１１の出力音声を選択している状態）であるＦＭ、出力ソースがＡＭ放送である状態（ラジオユニット１１でＡＭ放送を受信中であり、セレクタ１３でラジオユニット１１の出力音声を選択している状態）であるＡＭ、セレクタ１３でラジオユニット１１の出力音声を選択していない状態（セレクタ１３でオーディオソースユニット１２の出力音声を選択しているか、フロントシステム１において音声出力を行っていない状態）であるＮｏｎ　ＲＡＤＩＯの３つの状態を取る。
【００２９】
次に、制御バス３を介してリア制御部２６にリアシステム２の状態を問い合わせ、リアシステム２の状態ＲＳＳを取得する（ステップ２０４）。ＲＳＳも、ＦＳＳと同様に、出力ソースがＦＭ放送である状態（リアラジオユニット２１でＦＭ放送を受信中であり、リアセレクタ２３でリアラジオユニット２１の出力音声を選択している状態）であるＦＭ、出力ソースがＡＭ放送である状態（リアラジオユニット２１でＡＭ放送を受信中であり、リアセレクタ２３でリアラジオユニット２１の出力音声を選択している状態）であるＡＭ、リアセレクタ２３でリアラジオユニット２１の出力音声を選択していない状態（リアセレクタ２３でリアオーディオソースユニット２２の出力音声を選択しているか、リアシステム２において音声出力を行っていない状態）であるＮｏｎ　ＲＡＤＩＯの３つの状態を取る。
【００３０】
次に、取得したＦＳＳとＲＳＳの組み合わせに応じて、フロントシステム１とリアシステム２のＡＦサーチ動作と周波数サーチ動作をどうのような形態で行うかを決定する（ステップ２０６）。
図３に、ＦＳＳとＲＳＳの組み合わせと、フロントシステム１とリアシステム２のＡＦサーチ動作と周波数サーチ動作との対応を示す。なお、図中において、ＦＳはフロントシステム１を、ＲＳはリアシステム２を表す。
図示するように、ＦＳＳがＦＭでありＲＳＳもＦＭである場合には、フロントシステム１において、フロントシステム１とリアシステム２のＡＦサーチを行い、フロントシステム１とリアシステム２の周波数サーチは行わない。次に、ＦＳＳがＦＭでありＲＳＳがＡＭ場合には、フロントシステム１において、フロントシステム１のＡＦサーチを行い、リアシステム２のＡＦサーチと、フロントシステム１とリアシステム２の周波数サーチは行わない。また、ＦＳＳがＦＭでありＲＳＳがＮｏｎ　ＲＡＤＩＯの場合には、リアシステム２において、フロントシステム１のＡＦサーチと、フロントシステム１とリアシステム２の周波数サーチを行う。
【００３１】
次に、ＦＳＳがＡＭでありＲＳＳがＦＭである場合には、リアシステム２においてリアシステム２のＡＦサーチを行い、フロントシステム１のＡＦサーチと、フロントシステム１とリアシステム２の周波数サーチは行わない。次に、ＦＳＳがＡＭでありＲＳＳもＡＭ場合には、フロントシステム１とリアシステム２のＡＦサーチと、フロントシステム１とリアシステム２の周波数サーチは行わない。また、ＦＳＳがＡＭでありＲＳＳがＮｏｎ　ＲＡＤＩＯの場合には、リアシステム２において、フロントシステム１とリアシステム２の周波数サーチを行い、フロントシステム１とリアシステム２のＡＦサーチは行わない。
【００３２】
そして、ＦＳＳがＮｏｎ　ＲＡＤＩＯでありＲＳＳがＦＭである場合には、フロントシステム１において、リアシステム２のＡＦサーチと、フフロントシステムとリアシステム２の周波数サーチを行い、フロントシステム１のＡＦサーチは行わない。次に、ＦＳＳがＮｏｎ　ＲＡＤＩＯでありＲＳＳがＡＭ場合には、フロントシステム１において、フロントシステム１とリアシステム２の周波数サーチを行い、フロントシステム１とリアシステム２のＡＦサーチは行わない。また、ＦＳＳがＮｏｎ　ＲＡＤＩＯでありＲＳＳもＮｏｎ　ＲＡＤＩＯの場合には、フロントシステム１においてフロントシステム１の周波数サーチを行い、リアシステム２においてリアシステム２の周波数サーチを行い、フロントシステム１とリアシステム２のＡＦサーチは行わない。
【００３３】
なお、状態がＦＭでないシステムに対しては、ＡＦサーチは必要はない。また、状態がＦＭやＡＭのシステムでは、比較的長時間に渡って受信周波数を変化させながら行う必要のある周波数サーチを行うことができない。
さて、図２に戻り、このようにして、フロントシステム１とリアシステム２のＡＦサーチ動作と周波数サーチ動作をどうのような形態で行うかを決定したならば、主制御部１６は、制御バス３を介してリア制御部２６にＡＦサーチ動作と周波数サーチ動作の動作形態を通知し、通知した動作形態による動作開始を指示する（ステップ２０８）。また、主制御部１６も決定した動作形態による動作を開始する（ステップ２１０）。
【００３４】
そして、ＦＳＳまたはＲＳＳの変化を監視し（ステップ２１２）、変化が生じたならば、ステップ２０６に戻って以上の処理を行う。ここで、リア制御部２６は、ＲＳＳを監視し、ＲＳＳが変化したらば、これを制御バス３を介して主制御部１６に通知する。ステップでは、この通知に基づいて、ＲＳＳの変化を検出する。
【００３５】
以下、上述した各動作形態における主制御部１６とリア制御部２６の動作の詳細について説明する。
さて、以上のＦＳＳとＲＳＳの組み合わせによって決定される各動作形態は、フロントシステム１におけるフロントシステム１のＡＦサーチ、リアシステム２におけるリアシステム２のＡＦサーチ、フロントシステム１におけるフロントシステム１の周波数サーチ、リアシステム２におけるリアシステム２の周波数サーチ、フロントシステム１におけるリアシステム２のＡＦサーチ、リアシステム２におけるフロントシステム１のＡＦサーチ、フロントシステムにおけるリアシステム２の周波数サーチ、リアシステム２におけるフロントシステム１の周波数サーチの８つの動作の組み合わせで構成されている。
【００３６】
そこで、以下では、これら８つの各動作の詳細について説明する。
まず、フロントシステム１におけるフロントシステム１のＡＦサーチは、従来同様のＡＦサーチ動作であり、主制御部１６は、制御情報デコーダ１１３から受信する制御情報に基づいて、以下の動作を行う。ここで、ＦＭ放送局から放送される制御情報には、図４に示すように、ＰＩ（Ｐｒｏｇｒａｍ　Ｉｄｅｎｔｉｔｙ　Ｃｏｄｅ）、ＰＳ（Ｐｒｏｇｒａｍ　Ｓｅｒｖｉｃｅ　Ｎａｍｅ）、ＡＦ（Ａｌｔｅｒｎａｔｉｖｅ　Ｆｒｅｑｕｅｎｃｉｅｓ）リストや、その他の表示用情報や時刻情報や交通情報などが含まれる。そして、ＡＦリストには、制御情報を放送している周波数で放送しているプログラムと、同じプログラムを放送している複数の周波数が記述されている。
【００３７】
さて、主制御部１６は、現在チューナに受信させている受信周波数を現行周波数として、ＡＦリストに登録されている各周波数について、順次、短時間チューナの受信周波数をその周波数に切替え、元の現行周波数に戻す処理を間欠的に繰り返し、ＡＦリストに登録されている各周波数の受信状態を判定する。そして、現行周波数の受信状態より良好な受信周波数が存在する場合、または、現行周波数の受信状態が所定レベル以上悪化している場合に、最も受信状態が良好な周波数にチューナ１１１の受信周波数を切替え、切替後の周波数を現行周波数とする処理を繰り返す。なお、各周波数の受信状態は、チューナ１１１が主制御部１６に通知する電界強度信号などより判定する。
【００３８】
次に、リアシステム２におけるリアシステム２のＡＦサーチも従来同様のＡＦサーチ動作であり、フロントシステム１における主制御部１６と同様の動作をリアシステム２においてリア制御部２６が行う。
次に、フロントシステム１におけるフロントシステム１の周波数サーチでは、主制御部１６が次の処理を繰り返す。すなわち、主制御部１６は、チューナ１１１の受信周波数を順次少しづつ変化させながら、プログラムを受信可能な周波数とその周波数の受信状態をサーチしていく。そして、所定レベル以上受信状態が良好な周波数を所定数、プリセット周波数として設定する。
【００３９】
ここでプリセット周波数として設定された周波数は、次のように用いられる。すなわち、ユーザが入力装置１７を介して、プリセット番号を指定すると、主制御部１６は、指定されたプリセット番号に対応する順番に設定したプリセット周波数にチューナ１１１の受信周波数を切替える。このような周波数サーチ動作により、ユーザは、移動中において現在位置で良好に受信可能な周波数をプリセット番号の指定のみによって選択することができるようになる。
【００４０】
次に、リアシステム２におけるリアシステム２の周波数サーチでは、フロントシステム１における主制御部１６と同様の動作をリアシステム２においてリア制御部２６が行う。
さて、次に、フロントシステム１におけるリアシステム２のＡＦサーチ動作について説明する。
この動作では、図５ａに示すように、主制御部１６は、まず、制御バス３を介してリア制御部２６から、リアシステム２が現行周波数で受信した制御情報をリア制御情報として取得する（ステップ５０２）。このリア制御情報には、前述したＰＩやＰＳやＡＦリストを含む。
【００４１】
そして、主制御部１６は、フロントシステム１においてフロントシステム１のＡＦサーチ動作を行っており（ステップ５０４）、かつ、リア制御情報のＰＩやＰＳが、制御情報デコーダ１１３から入手した制御情報と同じであるかどうか、すなわち、フロントシステム１とリアシステム２で同じプログラムを受信中であるか否かを調べ（ステップ５０６）、そうであれば、前述したフロントシステム１におけるフロントシステム１のＡＦサーチ動作で判定した、ＡＦリストに登録されている各周波数の受信状態を制御バス３を介してリア制御部２６に通知する処理を行う（ステップ５０８）。そして、リア制御部２６から新たな制御情報が通知されたか、または、フロントシステム１の制御情報デコーダ１１３から通知された制御情報が変化したかどうかを調べ（ステップ５１０）、いずれでもない場合には、ステップ５０８の処理を繰り返す。一方、リア制御部２６から新たな制御情報が通知されたか、または、フロントシステム１の制御情報デコーダ１１３から通知された制御情報が変化している場合には、リア制御情報を更新して（ステップ５１８）、ステップ５０４に戻り、以上の処理を行う。
一方ステップ５０４において、フロントシステム１においてフロントシステム１のＡＦサーチ動作を行っていないと判定されたか、フロントシステム１においてフロントシステム１のＡＦサーチ動作を行っているが、フロントシステム１においてフロントシステム１のＡＦサーチ動作を行リア制御情報のＰＩやＰＳが、制御情報デコーダ１１３から入手した制御情報と異なる場合には、リア制御情報のＡＦリストに登録されている各周波数について、順次、短時間チューナの受信周波数をその周波数に切検出する判定するＡＦサーチ動作を行う（ステップ５１２）。そして、検出したリア制御情報のＡＦリストに登録されている各周波数の受信状態を制御バス３を介してリア制御部２６に通知する（ステップ５１４）。そして、リア制御部２６から新たな制御情報が通知されたか、または、フロントシステム１の制御情報デコーダ１１３から通知された制御情報が変化したかどうかを調べ（ステップ５１６）、いずれでもない場合には、ステップ５１２、５１４の処理を繰り返す。一方、リア制御部２６から新たな制御情報が通知されたか、または、フロントシステム１の制御情報デコーダ１１３から通知された制御情報が変化している場合には、リア制御情報を更新して（ステップ５１８）、ステップ５０４に戻り、以上の処理を行う。
【００４２】
一方、リアシステム２のリア制御部２６は、主制御部１６から要求があった場合には（ステップ５５２）、リア制御情報デコーダ２１３から通知される制御情報を制御バス３を介して主制御部１６に通知する（ステップ５５４）。また、たとえばユーザ操作に応じて受信周波数を別プログラムの放送周波数に変更したことなどより、リア制御情報デコーダ２１３から通知される制御情報に変化があった場合（ステップ５５６）、リア制御情報デコーダ２１３から通知される制御情報を制御バス３を介して主制御部１６に通知する（ステップ５５８）。
【００４３】
また、リア制御部２６は、主制御部１６から、リア制御情報のＡＦリストに登録されている各周波数の受信状態を通知されると（ステップ５６０）、リアチューナ２１１の現行周波数の受信状態より良好な受信周波数が存在するかどうかを判定し（ステップ５６２）、存在する場合には、最も受信状態が良好な周波数にチューナ１１１の受信周波数を切替え（ステップ５６４）、切替後の周波数を現行周波数とする。ただし、この切替は、リアチューナ２１１の現行周波数の受信状態が所定レベル以上悪化している場合にのみ行うようにしてもよい。
【００４４】
なお、図５ａ、ｂの処理は、ＦＳＳまたはＲＳＳに変化があると、図２に示す処理によって新たに決定された動作形態による動作の開始に伴い終了し、新たに決定された動作形態による動作において必要な場合には再起動される。
次に、リアシステム２におけるリアシステム２のＡＦサーチは、以上のフロントシステム１の主制御部１６と、リアシステム２のリア制御部２６の動作が交換されたものになる。
次に、フロントシステム１におけるリアシステム２の周波数サーチについて説明する。
この場合、フロントシステム１の主制御部１６は、まず、フロントシステム１においてフロントシステム１の周波数サーチを行っているかどうかを調べ、行っている場合には、フロントシステム１の周波数サーチで発見したプリセット周波数を、制御バス３を介してリア制御部２６に通知する。一方、フロントシステムにおいてフロントシステム１の周波数サーチを行っていない場合には、主制御部１６は、チューナ１１１の受信周波数を順次少しづつ変化させながら、プログラムを受信可能な周波数とその周波数の受信状態をサーチしていく。そして、所定レベル以上受信状態が良好な周波数を所定数プリセット周波数として選定し、選定したプリセット周波数をリア制御部２６に通知する。
【００４５】
一方、リア制御部２６では、プリセット周波数の通知を受けると、これを前述したリアシステム２におけるリアシステム２の周波数サーチで発見したプリセット周波数と同様に扱い、ユーザの入力装置１７を介したプリセット番号の指定に応じた受信周波数の切替に用いる。
【００４６】
次に、リアシステム２におけるフロントシステム１の周波数サーチは、以上のフロントシステム１におけるリアシステム２の周波数サーチにおけるフロントシステム１の主制御部１６と、リアシステム２のリア制御部２６の動作が交換されたものになる。
【００４７】
以上、本発明の実施形態について説明した。
以上のように本実施形態によれば、フロントシステム１がＡＭ放送を受信している場合を除き、リアシステム２のＡＦサーチはフロントシステム１において行われる。したがって、リアシステム２のリアチューナ２１１を二重化することなく、ＡＦサーチによるリアシステム２における出力音声品質の劣化を抑止することができる。なお、フロントシステム１においてＦＭ放送を受信しているときに、フロントシステム１においてリアシステム２のＡＦサーチを行うようにすると、フロントシステム１における現行周波数の受信のＡＦサーチのための中断頻度は増加することになるが、前述したようにヘッドホン２５で聴かれるリアシステム２と異なりフロントシステム１の出力音声はスピーカ１５から出力されるため、そのユーザが認識する音声品質への影響度は小さい。また、一般的に、リアシステム２はフロントシステム１を利用する運転者にとってのゲストが利用することが多いため、このように、フロントシステム１の出力音声品質を多少犠牲にしても、リアシステム２の音声品質の劣化を抑止することの意義は大きい。
【００４８】
ところで、以上ではフロントシステム１とリアシステム２とにそれぞれ一つづつの計二つのラジオユニット１１を備えたラジオシステムへの適用について説明したが、本実施形態の、あるラジオユニット１１のＡＦサーチや周波数サーチを他のラジオユニット１１に代替させる技術は、３以上のラジオユニット１１を備えたラジオシステムにも適用可能である。
【００４９】
たとえば、バスや旅客飛行機や旅客列車やフェリーやなどの多数の座席を有し、各座席毎にラジオユニット１１を備えるラジオシステムにおいて、使用されていないラジオユニット１１を探索し、探索したラジオユニット１１に他のラジオユニット１１のＡＦサーチや周波数サーチの動作を行わせるようにしても良い。
【００５０】
また、本実施形態はオーディオ放送以外の、ＴＶ放送などの放送を受信する受信機を複数備えたシステムにおいても同様に適用することができる。
【００５１】
【発明の効果】
以上のように、本発明によれば、複数のラジオ受信機を備えたラジオシステムにおいて、チューナ部を二重化することなく、少なくとも一方のラジオ受信機における、ＡＦサーチによる出力音声品質の劣化を抑止することができる。
【図面の簡単な説明】
【図１】本発明の実施形態に係るラジオシステムの構成を示すブロック図である。
【図２】本発明の実施形態に係るＡＦサーチ動作及び周波数サーチ動作の制御処理の手順を示すフローチャートである。
【図３】本発明の実施形態に係るフロントシステム状態とリアシステム状態に対して定まるＡＦサーチ動作及び周波数サーチ動作の動作形態を示す図である。
【図４】本発明の実施形態に係るラジオシステムが受信する制御情報を示す図である。
【図５】本発明の実施形態に係るフロントシステムにおけるリアシステムのＡＦサーチ時の動作を示すフローチャートである。
【符号の説明】
１：フロントシステム、２：リアシステム、３：制御バス、１１：ラジオユニット、１２：オーディオソースユニット、１３：セレクタ、１４：アンプ、１５：スピーカ、１６：主制御部、１７：入力装置、１８：表示装置、１９：通信インタフェース、２１：リアラジオユニット、２２：リアオーディオソースユニット、２３：リアセレクタ、２４：リアアンプ、２５：ヘッドホン、２６：リア制御部、２７：リア入力装置、２８：リア表示装置、２９：リア通信インタフェース、１１１：チューナ、１１２：音声デコーダ、１１３：制御情報デコーダ、２１１：リアチューナ、２１２：リア音声デコーダ、２１３：リア制御情報デコーダ。
【図１】
2004135011.tif 000003
【図２】
2004135011.tif 000004
【図３】
2004135011.tif 000005
【図４】
2004135011.tif 000006
【図５】
2004135011.tif 000007